(57)【要約】      （修正有）【課題】点検効率を大幅に向上させることができるシャッター点検操作支援用装置を提供する。【解決手段】防火・防煙シャッターＳのガイドレールＳ1に沿って着脱可能に取り付けられる上取付部１１および下取付部２１と、上および下取付部に設けられた上および下スイッチ部１２、２２と、電池が内蔵された計時部３１と、上スイッチ部および下スイッチ部を計時部に電気的に接続する配線部４１とを備え、上および下スイッチ部は、シャッターの下降するシャッターカーテンの下端部に接触可能な上および下トリガー部１２ｂ、２２ｂを有し、下降するシャッターカーテンの下端部に上トリガー部が接触することにより計時部の計時動作がスタートし、かつ引き続き下降するシャッターカーテンの下端部に下トリガー部が接触することによって計時部の計時動作がストップするように構成される。【選択図】図２
0003211948.tif 000002
【実用新案登録請求の範囲】
【請求項１】
防火・防煙シャッターの一対のガイドレールのうちの一方のガイドレールに沿ってかつ相互に上下所定間隔をもって着脱可能に取り付けられる上取付部および下取付部と、前記上取付部に設けられた上スイッチ部と、前記下取付部に設けられた下スイッチ部と、電池が内蔵された計時部と、前記上スイッチ部および前記下スイッチ部を前記計時部に電気的に接続する配線部とを備え、
前記上スイッチ部は、前記シャッターの下降するシャッターカーテンの下端部に接触可能な上トリガー部を有し、
前記下スイッチ部は、下降する前記シャッターカーテンの下端部に接触可能な下トリガー部を有し、
下降する前記シャッターカーテンの下端部に上トリガー部が接触することにより前記計時部の計時動作がスタートし、かつ引き続き下降する前記シャッターカーテンの下端部に前記下トリガー部が接触することによって前記計時部の計時動作がストップするように構成されたことを特徴とするシャッター点検操作支援用装置。
【請求項２】
前記上トリガー部および前記下トリガー部は、前記シャッターカーテンの下端部に接触することによりストレート形から弾性変形して折れ曲がる折れ曲がり・復元可能な接触部をそれぞれ有する請求項１に記載の装置。
【請求項３】
前記接触部が、ストレート形の樹脂製ストローの外面を熱収縮チューブにて被覆してなる請求項２に記載の装置。
【請求項４】
前記上取付部は、前記上スイッチ部の側面に固定された固定部と、一方のガイドレールの側面に吸着するマグネット部と、前記固定部と前記マグネット部とを連結する連結部とを有し、
前記下取付部は、前記上取付部と同一に構成されている請求項１〜３のいずれか１つに記載の装置。
【請求項５】
前記連結部は、前記固定部と前記マグネット部との距離を調整可能に構成されている請求項４に記載の装置。
【請求項６】
前記計時部が、前記上スイッチ部の側面に面状ファスナーを介して着脱可能に取り付けられている請求項１〜５のいずれか１つに記載の装置。
【考案の詳細な説明】
【技術分野】
【０００１】
この考案は、防火・防煙シャッターにおける点検作業員により点検作業を支援するためのシャッター点検操作支援用装置に関する。
【背景技術】
【０００２】
国または地方自治体が指定をする建築物、例えば、不特定多数の人々が利用する建築物、高齢者などの就寝の用に供する建築物、避難弱者が利用する建築物などにおいては、防火設備の保守点検が義務づけられている。
【０００３】
このような建築物に設けられた防火設備の一つに、防火・防煙シャッターがある（例えば、特許文献１参照）。以下、「防火シャッター」という場合は、防火・防煙シャッターを指すものとする。
【０００４】
防火シャッターの保守点検では、シャッターカーテンの下降時間の測定より算出した下降速度とシャッターカーテンの重量から運動エネルギーを求め、運動エネルギーが所定値（１０ジュール）以下であることを確認する。
【０００５】
従来、シャッターカーテンの下降速度は、点検操作員（防火設備検査員）がストップウォッチを用いて、床面から所定高さ（例えば、１ｍ）までシャッターカーテンが下降した時点を計時スタートとし、シャッターカーテンが床面に到達した時点を計時ストップとして下降時間を計測し、距離１ｍを下降時間（秒）で割り算して求められる。
【０００６】
一般に、シャッターカーテンの下降時間の計測は、感知器との連動閉鎖確認と共に行われる。すなわち、擬似火災を感知器が感知することにより、連動制御器から所定の防火シャッターへ閉鎖指令信号が送信され、所定の防火シャッターが自動的に閉鎖することを確認するのと同時に、前記のように点検操作員によってシャッターカーテンの下降時間が計測される。
【先行技術文献】
【特許文献】
【０００７】
【特許文献１】特開２０１３−１８９７９２号公報
【考案の概要】
【考案が解決しようとする課題】
【０００８】
連動制御器から一度に複数の防火シャッターへ閉鎖指令信号が送信される場合、複数の防火シャッターのシャッターカーテンが一斉に下降するが、この際、一つの防火シャッターにつき一人の点検操作員が下降時間を計測することになる。
【０００９】
そのため、一斉に閉鎖する防火シャッターの数よりも点検操作員の人数の方が少ない場合は、未計測の防火シャッターのシャッターカーテンを再度上昇および下降させて下降時間を計測する必要があり、点検効率が低下する原因となっていた。
【００１０】
この考案は、以上のような事情を考慮してなされたものであって、点検効率を大幅に向上させることができるシャッター点検操作支援用装置を提供することを目的とする。
【課題を解決するための手段】
【００１１】
かくして、本考案によれば、防火・防煙シャッターの一対のガイドレールのうちの一方のガイドレールに沿ってかつ相互に上下所定間隔をもって着脱可能に取り付けられる上取付部および下取付部と、前記上取付部に設けられた上スイッチ部と、前記下取付部に設けられた下スイッチ部と、電池が内蔵された計時部と、前記上スイッチ部および前記下スイッチ部を前記計時部に電気的に接続する配線部とを備え、
前記上スイッチ部は、前記シャッターの下降するシャッターカーテンの下端部に接触可能な上トリガー部を有し、
前記下スイッチ部は、下降する前記シャッターカーテンの下端部に接触可能な下トリガー部を有し、
下降する前記シャッターカーテンの下端部に上トリガー部が接触することにより前記計時部の計時動作がスタートし、かつ引き続き下降する前記シャッターカーテンの下端部に前記下トリガー部が接触することによって前記計時部の計時動作がストップするように構成されたシャッター点検操作支援用装置が提供される。
【考案の効果】
【００１２】
本考案によれば、一つの防火シャッターにつき一つのシャッター点検操作支援用装置を設置して下降時間を自動的に計測することができるため、複数の点検操作支援用装置を点検現場に持ち込むことにより、点検操作員が一人であっても、複数の防火シャッターが一斉に閉鎖するときの下降時間を一度に計測することができる。
また、このシャッター点検操作支援用装置は、簡素な構造であり、低コストにて製作可能である。
したがって、大きな費用負担をすることなく、点検効率を大幅に改善することが可能となる。
【図面の簡単な説明】
【００１３】
【図１】本考案のシャッター点検操作支援用装置の実施形態１を示す斜視図である。
【図２】図１のシャッター点検操作支援用装置を防火シャッターに設置した状態を示す斜視図である。
【図３】図１のシャッター点検操作支援用装置の電気的な構成を説明する概略回路図である。
【図４】図１のシャッター点検操作支援用装置による計時状態であって（Ａ）は計時スタート、（Ｂ）は計時ストップを示す。
【図５】実施形態２のシャッター点検操作支援用装置を示す斜視図である。
【図６】図５のシャッター点検操作支援用装置による計時状態であって（Ａ）は計時スタート、（Ｂ）は計時ストップを示す。
【考案を実施するための形態】
【００１４】
本考案のシャッター点検操作支援用装置は、防火・防煙シャッターの一対のガイドレールのうちの一方のガイドレールに沿ってかつ相互に上下所定間隔をもって着脱可能に取り付けられる上取付部および下取付部と、前記上取付部に設けられた上スイッチ部と、前記下取付部に設けられた下スイッチ部と、電池が内蔵された計時部と、前記上スイッチ部および前記下スイッチ部を前記計時部に電気的に接続する配線部とを備え、
前記上スイッチ部は、前記シャッターの下降するシャッターカーテンの下端部に接触可能な上トリガー部を有し、
前記下スイッチ部は、下降する前記シャッターカーテンの下端部に接触可能な下トリガー部を有し、
下降する前記シャッターカーテンの下端部に上トリガー部が接触することにより前記計時部の計時動作がスタートし、かつ引き続き下降する前記シャッターカーテンの下端部に前記下トリガー部が接触することによって前記計時部の計時動作がストップするように構成されている。
【００１５】
本考案のシャッター点検操作支援用装置は、次のように構成されてもよく、それらが適宜組み合わされてもよい。
（１）前記上トリガー部および前記下トリガー部は、前記シャッターカーテンの下端部に接触することによりストレート形から弾性変形して折れ曲がる折れ曲がり・復元可能な接触部をそれぞれ有してもよい。
上トリガー部および下トリガー部において、シャッターカーテンと接触する部分が硬い素材にて形成されている場合、接触部が防火シャッターのシャッターカーテンに直接接触すると、シャッターカーテンに傷が付くおそれがある。このような場合に、折れ曲がり・復元可能な接触部を設けることによりシャッターカーテンへの傷付きを防止することができる。また、シャッターカーテンを再度上昇させれば、折れ曲がった接触部が元のストレート形状に復元するため、何度でも使用することができる。
【００１６】
（２）前記接触部が、ストレート形の樹脂製ストローの外面を熱収縮チューブにて被覆してなるのもよい。
この構成によれば、折れ曲がり・復元可能な耐久性に優れた接触部を低コストにて作製することができる。また、この接触部は、軽量であり自重で撓むことがないため、下降するシャッターカーテンに接触させるべき高さ位置に真っ直ぐ水平に容易に維持させることができる。
【００１７】
（３）前記上取付部は、前記上スイッチ部の側面に固定された固定部と、一方のガイドレールの側面に吸着するマグネット部と、前記固定部と前記マグネット部とを連結する連結部とを有し、
前記下取付部は、前記上取付部と同一に構成されていてもよい。
この構成によれば、シャッター点検操作支援用装置の防火シャッターへの設置および撤去を迅速かつ容易に行うことができる。
【００１８】
（４）前記連結部は、前記固定部と前記マグネット部との距離を調整可能に構成されてもよい。
この構成によれば、シャッター点検操作支援用装置の上下スイッチ部と、防火シャッターのシャッターカーテンとの間を適正な距離、すなわち、上下トリガー部をシャッターカーテンに十分に接触させることができる距離に容易に調整することができる。
【００１９】
（５）前記計時部が、前記上スイッチ部の側面に面状ファスナーを介して着脱可能に取り付けられてもよい。
この構成によれば、計時部の表示を容易に目視することができると共に、計時部を上スイッチ部に安定的に保持することができる。また、計時部を上スイッチ部から取り外すことができるため、計時部の電池交換を容易に行うことができる。
【００２０】
以下、図面を用いてこの考案をさらに詳述する。なお、以下の説明は、すべての点で例示であって、この考案を限定するものと解されるべきではない。
【００２１】
（実施形態１）
図１は本考案のシャッター点検操作支援用装置の実施形態１を示す斜視図であり、図２は図１のシャッター点検操作支援用装置を防火シャッターに設置した状態を示す斜視図であり、図３は図１のシャッター点検操作支援用装置の電気的な構成を説明する概略回路図である。また、図４は図１のシャッター点検操作支援用装置による計時状態であって（Ａ）は計時スタート、（Ｂ）は計時ストップを示す。
【００２２】
＜シャッター点検操作支援用装置の構成＞
このシャッター点検操作支援用装置１０は、建築物に設けられた防火シャッターＳの一対のガイドレールＳ1のうちの一方のガイドレールＳ1に沿ってかつ相互に上下所定間隔をもって着脱可能に取り付けられる上取付部１１および下取付部２１と、上取付部１１に設けられた上スイッチ部１２と、下取付部２１に設けられた下スイッチ部２２と、電池が内蔵された計時部３１と、上スイッチ部１２および下スイッチ部２２を計時部３１に電気的に接続する配線部４１とを備える。
【００２３】
上取付部１１および下取付部２１は、相互に同一の形状および寸法にて形成された同一の構成を有する取付金具である。以下、図１を参照しながら、下取付部２１に付いて説明する。
下取付部２１は、下スイッチ部２２の側面に固定された固定部２１ａと、一方のガイドレールＳ1の側面に吸着する上下一対のマグネット部２１ｂと、固定部２１ａとマグネット部２１ｂとを連結する連結部２１ｃとを有する。
【００２４】
固定部２１ａは、下スイッチ部２２の側面にネジにて固定された凸形金具２１ａ1と、凸形金具２１ａ1の凸部分に形成された孔部に挿通される蝶ボルト２１ａ2と、蝶ボルト２１ａ2のボルト部に挿通されるワッシャおよびボルト部に螺着されるナット部とを有する。
連結部２１ｃは、長辺部分に等間隔に孔部２１ｃ11が形成されたＬ形金具２１ｃ1と、Ｌ形金具２１ｃ1の折れ曲がった短辺部分に固定された帯形金具２１ｃ2とを有する。
なお、帯形金具２１ｃ2は、Ｌ形金具２１ｃ1の短辺部分に折れ曲がり方向と直交する方向に図示しないボルト・ナット結合または溶接にて固定されている。
【００２５】
マグネット部２１ｂは、マグネット本体２１ｂ1と、マグネット本体２１ｂ1の表面に貼り付けられたシート状の緩衝材２１ｂ2とを有する。
緩衝材２１ｂ2には、フェルト、ゴムシート等が用いられている。この緩衝材２１ｂ2は、シャッターＳのガイドレールＳ1にマグネット本体２１ｂ1が当たって傷つけるのを防止する役割と、マグネット部２１ｂのガイドレールＳ1への着脱を容易かつ迅速に行うための役割を担う。
なお、一対のマグネット本体２１ｂ1は、連結部２１ｃの帯形金具２１ｃ2の上下両端部に図示しないボルト・ナット結合または接着にて固定されている。
【００２６】
上取付部１１は、下取付部２１と同様の構成の固定部１１ａ、マグネット部１１ｂおよび連結部１１ｃを有している。
【００２７】
上スイッチ部１２は、上スイッチ本体１２ａと、シャッターＳの下降するシャッターカーテンＳ2の下端部Ｓ21（図４（Ａ）参照）に接触可能なように上スイッチ本体１２ａの正面から前方へ突出する上トリガー部１２ｂとを有し、市販の多方向可動型のリミットスイッチが用いられている。
【００２８】
詳しく説明すると、上スイッチ本体１２ａは、後述の第１配線部４１Ａと第２配線部４１Ｂを導入する第１導入部１２ａ11および第２配線部４１Ｂのみを導入する第２導入部１２ａ12が設けられた矩形の本体ケース１２ａ1と、本体ケース１２ａ1の内部に設けられた共通端子（ＣＯＭ）、常開端子（ＮＯ）および常閉端子（ＮＣ）と、本体ケース１２ａ1の正面から外部へ突出するように共通端子（ＣＯＭ）に多方向可動に結合したジョイント部１２ａ2とを有し、通常、共通端子（ＣＯＭ）と常閉端子（ＮＣ）とがジョイント部１２ａ2を介して導通している。
【００２９】
上トリガー部１２ｂは、上スイッチ本体１２ａのジョイント部１２ａ2と接合したコイルスプリング部１２ｂ1と、コイルスプリング部１２ｂ1の先端部に嵌め込まれた細長い円錐形の樹脂成形部１２ｂ2とを有する。
【００３０】
下スイッチ部２２は、下スイッチ本体２２ａと、下降するシャッターカーテンＳ2の下端部Ｓ21（図４（Ｂ）参照）に接触可能なように下スイッチ本体２２ａの正面から前方へ突出する下トリガー部２２ｂとを有する。この下スイッチ部２２も、市販の多方向可動型のリミットスイッチが用いられている。
【００３１】
下スイッチ本体２２ａは、第２配線部４１Ｂのみを導入する導入部１２ａ11が設けられた矩形の本体ケース２２ａ1と、本体ケース２２ａ1の内部に設けられた共通端子（ＣＯＭ）、常開端子（ＮＯ）および常閉端子（ＮＣ）と、本体ケース２２ａ1の正面から外部へ突出するように共通端子（ＣＯＭ）に多方向可動に結合したジョイント部２２ａ2とを有し、通常、共通端子（ＣＯＭ）と常閉端子（ＮＣ）とがジョイント部２２ａ2を介して電気的に接続されている。
【００３２】
下トリガー部２２ｂは、上トリガー部１２ｂと同一の構成であり、下スイッチ本体２２ａのジョイント部２２ａ2と接合したコイルスプリング部２２ｂ1と、コイルスプリング部２２ｂ1の先端部に嵌め込まれた細長い円錐形の樹脂成形部２２ｂ2とを有する。
【００３３】
計時部３１としては、電池が内蔵された市販のストップウォッチ３１Ａを用いることができる。ただし、ストップウォッチ３１Ａのスタートボタンおよびストップボタンは取り払われる。
【００３４】
図１と図３に示すように、配線部４１は、上スイッチ部１２とストップウォッチ３１Ａのスタートスイッチ部３１Ａａとを電気的に接続する前記第１配線部４１Ａと、下スイッチ部２２とストップウォッチ３１Ａのストップスイッチ部３１Ａｂとを電気的に接続する前記第２配線部４１Ｂとを有してなる。
【００３５】
さらに詳しく説明すると、第１配線部４１Ａは、上スイッチ部１２の共通端子（ＣＯＭ）とストップウォッチ３１Ａのスタートスイッチ部３１Ａａの第１端子３１Ａａ1とを電気的に接続する第１線４１Ａａ1と、上スイッチ部１２の常開端子（ＮＯ）とストップウォッチ３１Ａのスタートスイッチ部３１Ａａの第２端子３１Ａａ2とを電気的に接続する第２線４１Ａａ2とを有してなる。
【００３６】
一方、第２配線部４１Ｂは、下スイッチ部２２の共通端子（ＣＯＭ）とストップウォッチ３１Ａのストップスイッチ部３１Ａｂの第１端子３１Ａｂ1とを電気的に接続する第３線４１Ｂｂ1と、下スイッチ部２２の常開端子（ＮＯ）とストップウォッチ３１Ａのストップスイッチ部３１Ａｂの第２端子３１Ａｂ2とを電気的に接続する第４線４１Ｂｂ2とを有してなる。
【００３７】
このような回路構成によれば、上スイッチ部２１のジョイント部１２ａ2にて共通端子（ＣＯＭ）と常開端子（ＮＯ）とが導通すると、ストップウォッチ３１Ａのスタートスイッチ部３１ＡａがＯＮ状態となって計時動作がスタートし、ストップウォッチ３１Ａの液晶画面３１Ａｘに経過時間が表示される。なお、共通端子（ＣＯＭ）と常開端子（ＮＯ）との導通直後、共通端子（ＣＯＭ）と常閉端子（ＮＣ）とが再度導通状態となっても計時動作は継続する。
【００３８】
また、計時動作時、下スイッチ部２２のジョイント部２２ａ2にて共通端子（ＣＯＭ）と常開端子（ＮＯ）とが導通すると、ストップウォッチ３１Ａのストップスイッチ部３１ＡｂがＯＮ状態となって計時動作がストップする。なお、共通端子（ＣＯＭ）と常開端子（ＮＯ）との導通直後、共通端子（ＣＯＭ）と常閉端子（ＮＣ）とが再度導通状態となっても計時ストップ状態は継続する。
【００３９】
そして、再度、共通端子（ＣＯＭ）と常開端子（ＮＯ）とを導通させると、液晶画面３１Ａｘに表示されている計時ストップ時のタイムがリセットされる。なお、共通端子（ＣＯＭ）と常開端子（ＮＯ）との導通直後、共通端子（ＣＯＭ）と常閉端子（ＮＣ）とが再度導通状態となってもリセット状態は継続する。
【００４０】
なお、スプリット機能を有するストップウォッチを計時部３１として使用した場合、ストップウォッチによる計時動作が液晶画面３１Ａｘ上ではストップしていても、スプリットタイムが継続して計時されている。そのため、上トリガー部１２ｂを指で１回叩くとスプリットタイムの計時動作がストップし、その後、下トリガー部２２ｂを１回叩くことによりスプリットタイムが表示され、もう１回下トリガー部２２ｂを叩くことによりリセットが完了する。
【００４１】
＜シャッター点検操作支援用装置の使用時の動作＞
次に、図１〜図４を参照しながら、シャッター点検操作支援用装置１０の使用時の動作について説明する。
図２に示すように、防火シャッターＳを保守点検する際、まず、点検操作員が一方のガイドレールＳ1の側面にシャッター点検操作支援用装置１０を設置する。この際、上スイッチ部１２の上トリガー部１２ｂおよび下スイッチ部２２の下トリガー部２２ｂがガイドレールＳ1を横切るように、上取付部１１および下取付部２１の各マグネット部１１ｂ、２１ｂを金属製のガイドレールＳ1の側面に吸着させる。そして、床面Ｆから所定高さＨ（例えば、１ｍ）の位置に上スイッチ部１２の上トリガー部１２ｂの先端部を位置決めし、床面Ｆ付近に下スイッチ部２２の下トリガー部２２ｂの先端部を位置決めする（図４参照）。
【００４２】
このようにシャッター点検操作支援用装置１０を防火シャッターＳに設置した後、シャッターカーテンＳ2を下降させると、図４（Ａ）に示すように、シャッターカーテンＳ2の下端部Ｓ21が上トリガー部１２ｂに接触する。なお、図４（Ａ）と（Ｂ）において、シャッター点検操作支援用装置１０の上取付部１１および下取付部２１は図示省略している。
【００４３】
シャッターカーテンＳ2の下端部Ｓ21が上スイッチ部１２の上トリガー部１２ｂの樹脂成形部１２ｂ2に接触し、それによってジョイント部１２ａ2が動いて共通端子（ＣＯＭ）と常開端子（ＮＯ）とが導通すると、図３で説明したように、ストップウォッチ３１Ａの計時動作がスタートする。
そして、シャッターカーテンＳ2の下端部Ｓ21が上トリガー部１２ｂの樹脂成形部１２ｂ2を押し下げると、上トリガー部１２ｂのコイルスプリング部１２ｂ1が弾性変形して下方へ湾曲し、樹脂成形部１２ｂ2は下降するシャッターカーテンＳ2の外面に下方へ引きずられるように摺接する。
【００４４】
そして、図４（Ｂ）に示すように、シャッターカーテンＳ2の下端部Ｓ21が床面Ｆまで下降して下スイッチ部２２の下トリガー部２２ｂの樹脂成形部２２ｂ2に接触し、それによってジョイント部２２ａ2が動いて共通端子（ＣＯＭ）と常開端子（ＮＯ）とが導通すると、図３で説明したように、ストップウォッチ３１Ａの計時動作がストップする。
その後、点検操作員はストップウォッチ３１Ａの液晶画面３１Ａｘに表示されている経過時間を記録し、シャッターカーテンＳ2の移動距離と移動時間から移動速度を算出し、シャッターカーテンＳ2の重量と移動速度から運動エネルギーを算出し、運動エネルギーが所定値（１０ジュール）以下であることを確認する。なお、運動エネルギーが所定値を超える場合は、運動エネルギーが所定値以下となるようシャッターＳの開閉機の回転速度が遅くなるよう調整する。
【００４５】
このように、本発明のシャッター点検操作支援用装置１０によれば、自動的にシャッターカーテンＳ2の下降時間を測定することができるため、点検操作員が一人であっても効率よく複数の防火シャッターの保守点検を行うことができる。
【００４６】
（実施形態２）
図５は実施形態２のシャッター点検操作支援用装置を示す斜視図である。また、図６は図５のシャッター点検操作支援用装置による計時状態であって（Ａ）は計時スタート、（Ｂ）は計時ストップを示す。なお、図５および図６において、図１および図４中の要素と同様の要素には同一の符号を付している。
【００４７】
実施形態２のシャッター点検操作支援用装置１００は、上スイッチ部１１２の上トリガー部１１２ｂおよび下スイッチ部１２２の下トリガー部１２２ｂの構成が実施形態１とは異なる以外は、実施形態１と同様である。以下、実施形態２における実施形態１とは異なる点を主に説明する。
【００４８】
まず、実施形態２の上トリガー部１１２ｂについて説明すると、この上トリガー部１１２ｂは、実施形態１と同様のコイルスプリング部１２ｂ1および樹脂成形部１２ｂ2を有すると共に、シャッターカーテンＳ2の下端部Ｓ21に接触することによりストレート形から弾性変形して折れ曲がる折れ曲がり・復元可能な接触部１１２ｂ3を有している。
【００４９】
接触部１１２ｂ3は、ストレート形の樹脂製ストローの外面を熱収縮チューブにて被覆してなり、その一端側が樹脂成形部１２ｂ2に被せられて取り付けられている。
下トリガー部１２２ｂも、上トリガー部１１２ｂと同様に、コイルスプリング部２２ｂ1および樹脂成形部２２ｂ2を有すると共に、シャッターカーテンＳ2の下端部Ｓ21に接触することによりストレート形から弾性変形して折れ曲がる折れ曲がり・復元可能な接触部１２２ｂ3を有している。
【００５０】
実施形態２のシャッター点検操作支援用装置１００を用いて防火シャッターＳの保守点検を行う際は、まず、図６（Ａ）に示すように、実施形態１の場合と同様に、一方のガイドレールＳ1の側面の上下位置に上および下取付部１１、２１を取り付ける。この際、実施形態１の場合よりも上および下トリガー部１１２ｂ、１２２ｂの突出寸法が長いため、シャッターカーテンＳ2の下降位置に接触部１１２ｂ3の先端側がくるように上および下取付部１１、２１の各連結部１１ｃ、２１ｃの突出長さを適切に調整する。
【００５１】
このようにシャッター点検操作支援用装置１００をガイドレールＳ1に設置した後、シャッターカーテンＳ2を下降させると、シャッターカーテンＳ2の下端部Ｓ21が上トリガー部１１２ｂの接触部１１２ｂ３に接触し、それによってストップウォッチ３１Ａの計時動作がスタートする。
【００５２】
そして、シャッターカーテンＳ2の下端部Ｓ21が上トリガー部１１２ｂの接触部１１２ｂ3を押し下げると、図６（Ｂ）に示すように接触部１１２ｂ3が下方へ折れ曲がる。これにより、上トリガー部１１２ｂによってシャッターカーテンＳ2の傷付きが防止される。
【００５３】
そして、シャッターカーテンＳ2の下端部Ｓ21が床面Ｆまで下降して下スイッチ部２２の下トリガー部１２２ｂの接触部１２２ｂ3を押し潰すように接触し、それによってストップウォッチ３１Ａの計時動作がストップする。
なお、保守点検終了後、シャッターカーテンＳ2を再度上昇させると、上および下トリガー部１１２ｂ、１２２ｂの変形した各接触部１１２ｂ3、１２２ｂ3は元のストレート形状に復元する。
【００５４】
この考案の好ましい態様には、上述した複数の態様をいくつか組み合わせたものも含まれる。上述した実施の形態の他にも、この考案について種々の変形例があり得る。それらの変形例もこの考案の範囲に属すると解すべきである。この考案には、実用新案登録請求の範囲と均等の意味および上記範囲内でのすべての変形とが含まれるべきである。
【符号の説明】
【００５５】
１０、１００  シャッター点検操作支援用装置
１１  上取付部
１１ａ、２１ａ  固定部
１１ｂ、２１ｂ  マグネット部
１１ｃ、２１ｃ  連結部
１２、１１２  上スイッチ部
１２ｂ、１１２ｂ  上トリガー部
２１  下取付部
２２、１２２  下スイッチ部
２２ｂ、１２２ｂ  下トリガー部
３１  計時部
３１Ａ  ストップウォッチ
４１  配線部
１１２ｂ3、１２２ｂ3  接触部
Ｈ  上下所定間隔
Ｓ  防火シャッター（防火・防煙シャッター）
Ｓ1  ガイドレール
Ｓ2  シャッターカーテン
Ｓ21  下端部
【図１】
0003211948.tif 000003
【図２】
0003211948.tif 000004
【図３】
0003211948.tif 000005
【図４】
0003211948.tif 000006
【図５】
0003211948.tif 000007
【図６】
0003211948.tif 000008